(57)【特許請求の範囲】
【請求項１】
前面に鏡面を有する鏡面パネルが、収納された物品等の前面の少なくとも一部を覆うように、長手方向に移動可能に取り付けられた鏡面パネルを備えた収納棚であって、前記パネルの上部及び下部が、前記収納棚の前面における長手方向に設けられる上下の案内レールを介して長手方向に移動可能に設けられるとともに、前記パネルの上部もしくは下部が、前記案内レールよりも前方に移動することで、前記鏡面パネルの上部、もしくは下部が、少なくとも前後方向に傾斜するように設けられていることを特徴とする鏡面パネルを備えた収納棚。
【請求項２】
前記パネルの上部もしくは下部、あるいは前記パネルの上部及び下部が、前記案内レール内において長手方向に摺動自在に嵌合されたガイド部材に対して、伸縮自在なリンク部材を介して連結されている請求項１に記載の鏡面パネルを備えた収納棚。
【請求項３】
前記パネルの上部もしくは下部に、前記ガイド部材を有するリンク部材が一体的に設けられている請求項２に記載の鏡面パネルを備えた収納棚。
【請求項４】
前記鏡面パネルを、任意の傾斜角度で保持するための傾斜角度保持手段が構成されている請求項１ないし３のいずれかに記載の収納棚。
【発明の詳細な説明】
【０００１】
【発明の属する技術分野】
本発明は、物品等を収納可能な収納棚に関する。
【０００２】
【従来の技術】
従来、物品等を収納可能な収納棚において、物品等の前面を覆うパネル（扉）に、鏡が取り付けられているものがある。
【０００３】
【発明が解決しようとする課題】
しかしながら、このような収納棚に備えられた鏡面パネルは、所定のパネル面に対して固定されていることが多かったため、鏡を使用する場合、使用者が鏡面に合わせて移動しないと所望の位置を鏡に映すことができないので、使用しにくいといった問題点があった。
【０００４】
本発明は、このような問題点に着目してなされたもので、収納された物品の前面を覆うことができるとともに、使用者に合わせて最適な向きに変更できる鏡面パネルを備えた収納棚を提供することを目的としている。
【０００５】
【課題を解決するための手段】
上記の目的を達成するために本発明の収納棚は、前面に鏡面を有する鏡面パネルが、収納された物品等の前面の少なくとも一部を覆うように、長手方向に移動可能に取り付けられた鏡面パネルを備えた収納棚であって、前記パネルの上部及び下部が、前記収納棚の前面における長手方向に設けられる上下の案内レールを介して長手方向に移動可能に設けられるとともに、前記パネルの上部もしくは下部が、前記案内レールよりも前方に移動することで、前記鏡面パネルの上部、もしくは下部が、少なくとも前後方向に傾斜するように設けられていることを特徴としている。この特徴によれば、鏡面パネルを利用して、収納された物品の前面の少なくとも一部を覆うことができるとともに、鏡面の使用時には、使用者の使用位置に合わせて長手方向へ移動させたり、鏡面パネルの上部もしくは下部を前後方向に傾斜させることができる。よって、使用者の使用位置に合わせて、鏡面を所望の位置に、最適な向きにて使用することができる。
【０００７】
本発明の収納棚は、前記パネルの上部もしくは下部、あるいは前記パネルの上部及び下部が、前記案内レール内において長手方向に摺動自在に嵌合されたガイド部材に対して、伸縮自在なリンク部材を介して連結されていることが好ましい。
このようにすることで、鏡面パネルの上下部が、常に上下の案内レールに支持されるため、傾斜状態にある鏡面パネルを長手方向へ移動しても、がたつくことがなく、安全である。
【０００８】
本発明の収納棚は、前記パネルの上部もしくは下部に、前記ガイド部材を有するリンク部材が一体的に設けられていることが好ましい。
このようにすることで、鏡面パネルを容易に案内レールに組み付けることができる。
【０００９】
本発明の収納棚は、前記鏡面パネルを、任意の傾斜角度で保持するための傾斜角度保持手段が構成されていることが好ましい。
このようにすることで、鏡面を使用する際に手で鏡面パネルを保持することなしに、鏡の使用者にとって最適な傾斜角度が保持される。
【００１０】
【発明の実施の形態】
以下、本発明における実施形態を図面に基づいて説明する。
【００１１】
以下、本発明の実施例を図面に基づいて説明する。図１〜図４（ａ）、（ｂ）には本発明の第１実施例が示されており、図１における１は収納棚であり、この収納棚１には、物品等を収納可能な棚部２、２’、２”が多段に設けられるとともに、棚部２’の前面には、表面に鏡面３が設けられたパネル４（以下鏡面パネル）が、長手方向に移動自在に設けられている。
【００１２】
図２（ａ）に示されるように、鏡面パネル４の上端の左右両端部には、補強部材６を介して、収納棚１の長手方向に延びる支持部材７が取り付けられている。棚部２の前端の底面に固定されたガイドレール５には、支持部材７に回転可能に軸支されたホイール８によって、鏡面パネル４が長手方向に移動自在に吊支されている。
【００１３】
鏡面パネル４の下端面にはカバー部材９が取り付けられており、この下端中央には、一端が棚部２”の前端の底面に固定されたガイドレール１２内長手方向に摺動自在に嵌合されたホイール１１に枢着されたリンク機構１０の他端部が枢着されている。
【００１４】
なお、ガイドレール１２は、鏡面パネル４の下部が前方へ傾斜された際に、ホイール１１が傾斜しても支障がないように、ホイール１１よりもやや大きめに形成されている。
【００１５】
リンク機構１０は、図３（ａ）、（ｂ）で示すように、主に支持部材１３、第１リンク部材１４、第２リンク部材１５により構成されている。
【００１６】
支持部材１３はカバー部材９の裏面中央にネジ等で固定されており、その一端には長穴１６が、他端には穴１７が形成されている。第１リンク部材１４の一端には、上方を向く連結ピン１８が、略中間部には穴１９が、他端には軸２０がそれぞれ形成されており、この軸２０の先端部には、２個のホイール１１が軸周りに回転自在に取り付けられている。第２リンク部材１５の一端には、上方を向く連結ピン２１が、他端には下方を向く連結ピン２２がそれぞれ形成されている。なお、長穴１６内周面には、ゴム等からなる環状の弾性部材２３が、接着材等で貼着されている。
【００１７】
第１リンク部材１４の一端は、長穴１６内を摺動自在な連結ピン１８を介して支持部材１３に連結されているとともに、他端は、ガイドレール１２内を長手方向に摺動自在に嵌挿されたホイール１１を介してガイドレール１２に連結されている。また、中央部には、一端が連結ピン２１を介して支持部材１３の穴１７に枢支された第２リンク部材１５の他端部が回転自在に枢着されている。
【００１８】
次に、本実施例における作用を図面に基づいて説明していくと、図３（ａ）に示される状態で、カバー部材９を介して鏡面パネル４を手前方向に引く力が加えられると、図４（ａ）、（ｂ）に示されるように、第１リンク部材１４が、連結ピン２２を支点に反時計回りに回転しようとする。この時、連結ピン１８が図中長穴１６内の左側に、軸２０が図中右方向に移動するとともに、連結ピン２２、すなわち第１リンク部材１４の支点が、連結ピン２１を中心とする第２リンク部材１５の回動により移動されるため、リンク機構１０は前方向に伸長することになる。
【００１９】
そして連結ピン１８の移動が長穴１６の左側の端部に到達された時点で、第１リンク部材１４、第２リンク部材１５の回動が規制され、リンク機構１０の前方向への伸長が制止される。
【００２０】
逆に、図４（ａ）、（ｂ）の状態で、カバー部材９を手で押す等、鏡面パネル４の下部を後方向に押す力が加えられると、第１リンク部材１４、第２リンク部材１５は上述の運動と反対の運動をして、リンク機構１０が収縮することになる。
【００２１】
このようにリンク機構１０は、連結ピン１８が長穴１６内で移動できる範囲で伸縮されるようになっており、任意の位置において手を離せば、連結ピン１８と弾性部材２３との摩擦により、鏡面パネル４が所定の傾斜角度にて保持されるようになっている。なお、手で押す、もしくは引く等、所定の力が加えられた際には、連結ピン１８が長穴１６内を移動可能で、鏡面パネル４が傾動できる。
【００２２】
このように、本発明第１実施例においては、鏡面パネル４の上下部が、棚部２、２”の前方に設けられた上下のガイドレール５、１２にそれぞれ支持されているとともに、その下部が、リンク機構１０を介してガイドレール１２の前方に移動可能に設けられているため、鏡面３を長手方向に移動できるとともに、前後方向に傾斜させることができる。
【００２３】
よって、通常時においては鏡面パネル４により棚部２〜２”上に載置された物品等の少なくとも一部を覆うことができるとともに、物品を取り出す際には鏡を長手方向に移動できるので邪魔になることがない。また、使用者が鏡面３に対して姿勢を保持することなく、使用者に対して最適な位置まで移動させた後、最適な傾斜角度にて鏡を使用することができる。
【００２４】
また、鏡面パネル４の下部が、リンク機構１０を介して棚部２”の前面に設けられたガイドレール１２内に支持されているため、鏡面パネル４を傾斜させても、鏡面パネル４の下部が不安定になることがなく、安全であるばかりか、鏡面パネル４が傾斜しても棚部２〜２”上の物品等が倒れたりすることがない。
【００２５】
また、鏡面パネル４の下部に、回転可能に軸支されたホイール１１を有するリンク機構１０が一体的に設けられているので、鏡面パネル４を容易にガイドレール１２に組み付けることができる。
【００２６】
また、鏡面３の傾斜角度保持手段として、連結ピン１８が摺接する長穴１６の内周面に弾性部材２３が設けられているため、鏡面３を使用する際に手で鏡面パネルを保持することなしに、鏡を所望の傾斜角度にて保持することができる。
【００２７】
また、鏡面パネル４は回転可能に軸支されたホイール８によってガイドレール５に吊支されており、リンク機構１０の一端もホイール１１によってガイドレール１２に摺動自在に嵌挿されているので、長手方向への移動を円滑に行うことができる。
【００２８】
次に図５〜図７（ａ）、（ｂ）には本発明の第２実施例が示されている。図５の示すように本実施例における収納棚１’には、第１実施例の収納棚１と同様に物品等を収納可能な棚部２、２’、２”が多段に設けられるとともに、棚部２’の前面には、鏡面パネル４が、長手方向に移動自在に設けられている。
【００２９】
鏡面パネル４の上端面には、カバー部材９’が取り付けられており、この上端の左右両端部には、一端に棚部２の前端の底面に固定されたガイドレール５に長手方向に移動自在に吊支されたホイール８が回転可能に軸支されている支持部材７’に枢着されたリンク機構１０’の他端部が枢着されている。
【００３０】
リンク機構１０’は、図７（ａ）、（ｂ）で示すように、主に支持部材１３、第１リンク部材１４’、第２リンク部材１５、支持部材７’により構成されている。
【００３１】
支持部材１３はカバー部材９’の裏面の左右両端部にネジ等で固定されており、その一端には長穴１６が、他端には穴１７が形成されている。第１リンク部材１４’の一端には、下方を向く連結ピン１８が、略中間部には穴１９が、他端には上方を向く連結ピン２０’がそれぞれ形成されている。第２リンク部材１５の一端には、下方を向く連結ピン２１が、他端には上方を向く連結ピン２２がそれぞれ形成されている。なお、長穴１６内周面には、ゴム等からなる環状の弾性部材２３が、接着材等で貼着されている。
【００３２】
第１リンク部材１４’の一端は、長穴１６内を摺動自在な連結ピン１８を介して支持部材１３に連結されているとともに、他端は、連結ピン２０’を介して支持部材７’に回転自在に枢着されており、この支持部材７’に回転可能に軸支されているホイール８が、ガイドレール５に、鏡面パネル４が長手方向に移動自在になるように吊支されている。また、中央部には、一端が連結ピン２１を介して支持部材１３の穴１７に枢支された第２リンク部材１５の他端部が回転自在に枢着されている。
【００３３】
本実施例のその他の構成については、前述の第１実施例と同様のため、同様の符号を付すことで、ここでの詳細な説明は省略することとする。
【００３４】
本実施例において、鏡面パネル４の上端の左右両端部には、前後方向に伸縮可能なリンク機構１０’が取り付けられているので、図６（ａ）の示すようにホイール８を支点に鏡面パネル４を傾動して、鏡面３の下部を前方に傾斜させるのみならず、図６（ｂ）の示すようにホイール１１を支点に鏡面パネル４の上部を前方に傾斜させることも可能であるため、鏡面３の傾斜角度の自由度が増し、使用者にとってより適した傾斜角度にて鏡を使用することができる。
【００３５】
以上、本発明の実施例を図面に基づいて説明してきたが、具体的な構成はこれら実施例に限られるものではなく、本発明の要旨を逸脱しない範囲における変更や追加があっても本発明に含まれる。
【００３６】
例えば、上記第１、第２実施例中において、鏡面パネル４の上部、もしくは下部が、リンク機構１０、１０’を介してガイドレール５、もしくは１２に対して支持されているが、このリンク機構の形態は種々に変形可能である。また、鏡面パネル４の傾斜角度保持手段は、弾性部材２３と連結ピン１８との摩擦に限られるものではない。
【００３７】
【発明の効果】
本発明は以下の効果を奏する。
【００３８】
（ａ）請求項１項の発明によれば本発明の収納棚は、前面に鏡面を有する鏡面パネルが、収納された物品等の前面の少なくとも一部を覆うように、長手方向に移動可能に取り付けられた鏡面パネルを備えた収納棚であって、
鏡面パネルの上部、もしくは下部が、少なくとも前後方向に傾斜するように設けられているので、鏡面パネルを利用して、収納された物品の前面の少なくとも一部を覆うことができるとともに、鏡面の使用時には、使用者の使用位置に合わせて長手方向へ移動させたり、鏡面パネルの上部もしくは下部を前後方向に傾斜させることができる。よって、使用者の使用位置に合わせて、鏡面を所望の位置に、最適な向きにて使用することができる。
【００４０】
（ｂ）請求項２項の発明によれば、前記パネルの上部もしくは下部、あるいは前記パネルの上部及び下部が、前記案内レール内において長手方向に摺動自在に嵌合されたガイド部材に対して、伸縮自在なリンク部材を介して連結されているので、鏡面パネルの上下部が、常に上下の案内レールに支持されるため、傾斜状態にある鏡面パネルを長手方向へ移動しても、がたつくことがなく、安全である。
【００４１】
（ｃ）請求項３項の発明によれば、 本発明の収納棚は、前記パネルの上部もしくは下部に、前記ガイド部材を有するリンク部材が一体的に設けられているので、鏡面パネルを容易に案内レールに組み付けることができる。
【００４２】
（ｄ）請求項４項の発明によれば、前記鏡面パネルを、任意の傾斜角度で保持するための傾斜角度保持手段が構成されているので、鏡面を使用する際に手で鏡面パネルを保持することなしに、鏡の使用者にとって最適な傾斜角度が保持される。
【００４３】
【図面の簡単な説明】
【図１】本発明の第１実施例における収納棚を示す斜視図である。
【図２】（ａ）、は、図１の収納棚の構成を示す断面図であり、（ｂ）はその使用状態を示す断面図である。
【図３】（ａ）は、第１実施例における収納棚の一部を構成するリンク機構の下面図であり、（ｂ）は、そのＡ−Ａ断面図である。
【図４】（ａ）は、第１実施例における収納棚の一部を構成するリンク機構の作用状態を示す下面図であり、（ｂ）は、そのＡ’−Ａ’断面図である。
【図５】本発明の第２実施例の収納棚の構成を示す断面図である。
【図６】（ａ）、（ｂ）は図５の収納棚の使用状態を示す断面図である。
【図７】（ａ）は、第２実施例における収納棚の一部を構成するリンク機構の上面図であり、（ｂ）は、そのＡ”−Ａ”断面図である。
【符号の説明】
１、１’      収納棚
２、２’、２”棚部
３            鏡面
４            鏡面パネル
５、１２      ガイドレール（案内レール）
６            補強部材
７、７’      支持部材
８、１１      ホイール（ガイド部材）
９、９’      カバー部材
１０、１０’    リンク機構（リンク部材）
１３            支持部材
１４、１４’    第１リンク部材
１５            第２リンク部材
１６            長穴
１７、１９      穴
１８、２１、２２連結ピン
２０            軸
２０’          連結ピン
２３            弾性部材
【図１】
0004278012.tif 000002
【図２】
0004278012.tif 000003
【図３】
0004278012.tif 000004
【図４】
0004278012.tif 000005
【図５】
0004278012.tif 000006
【図６】
0004278012.tif 000007
【図７】
0004278012.tif 000008